【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
ヒト又は動物体の頭蓋内血管（６）への挿入用のステント構造体（２）を有するデバイスであって、前記ステント構造体（２）は、血管（６）の内壁と接触することができる拡張状態と、ステント構造体（２）がマイクロカテーテル（４）内部にあるときに血管（６）内を移動できる圧縮状態とをとり、前記ステント構造体（２）は挿入補助手段（３）に接続され、さらに前記ステント構造体（２）はマイクロカテーテル（４）から解放されると自動的にその拡張状態に移行することができ、
前記ステント構造体（２）は電気伝導体（１３）を有し、血管痙縮の予防又は治療を可能にするように神経線維の機能を一時的又は永久的に低減するために、血管（６）の血管壁中で延びる神経線維に前記電気伝導体を介して電気パルス、高周波パルス又は超音波パルスを印加することができる、デバイス。
【請求項２】
前記ステント構造体（２）は、個々の相互連結したストラット（７）、又はメッシュ構造を形成する個々のワイヤからなる、請求項１に記載のデバイス。
【請求項３】
前記ステント構造体（２）は近位から遠位へと延在する背骨を備え、該背骨から、電気伝導体（１３）を有しかつ拡張状態でステント構造体（２）の周囲を形成するストラット（７）が延びる、請求項２に記載のデバイス。
【請求項４】
少なくとも一部のストラット（７）は、互いに平行に延びる複数の部分ストラットから構成される、請求項２又は３に記載のデバイス。
【請求項５】
前記電気伝導体（１３）は、ステント構造体（２）の近位端で合流し、かつ挿入補助手段（３）に接続される、請求項１から４のいずれか一項に記載のデバイス。
【請求項６】
前記電気伝導体（１３）は互いに電気的に絶縁されている、請求項１から５のいずれか一項に記載のデバイス。
【請求項７】
電気伝導体（１３）に接続された電気又は高周波（ＨＦ）電極（８）の対が、拡張状態にありかつ血管内に埋め込まれた電極（８）が間隙により離間されるような態様でステント構造体の周縁部に配置され、それによって間隙を横切る電極（８）への印加電流の流れが血管（６）の内壁に作用する、請求項１から６のいずれか一項に記載のデバイス。
【請求項８】
前記電極（８）は放射線不透過性マーカー（１２）を備える、請求項７に記載のデバイス。
【請求項９】
前記ステント構造体（２）は複数対の電極（８）を備える、請求項７又は８に記載のデバイス。
【請求項１０】
１対の電極（８）間の間隙は電気的絶縁材料で満たされている、請求項７から９のいずれか一項に記載のデバイス。
【請求項１１】
前記ステント構造体（２）は、デバイス（１）の長手方向に離間する複数の略環状の要素を含み、各要素は電気回路に属する２つの電気伝導体（１３）を含み、該２つの電気伝導体（１３）はそれぞれ１つの電極（８）において終端し、かつ２つの電極（８）は、デバイス（１）が拡張状態で血管（６）内に埋め込まれたときに間隙により互いに離れている、請求項７から１０のいずれか一項に記載のデバイス。
【請求項１２】
電極（８）、電極（８）の対、及び／又は超音波送信機は、ステント構造体（２）の長手方向に見て、周囲上に互いにオフセットして配置される、請求項１から１１のいずれか一項に記載のデバイス。
【請求項１３】
電気抵抗を測定する手段をさらに備える、請求項１から１２のいずれか一項に記載のデバイス。
【請求項１４】
前記ステント構造体（２）はその内側に膜（１１）を備える、請求項１から１３のいずれか
【請求項１５】
血管痙縮の予防又は治療に使用するためのものであり、前記ステント構造体（２）が、挿入補助手段によって血管（６）内の標的位置に運ばれ、さらに拡張され、前記標的位置で電気パルス、高周波パルス又は超音波パルスが血管（６）の血管壁中で延びる神経線維に印加される、請求項１から１４のいずれか一項に記載のデバイス。
【手続補正２】
【補正対象書類名】明細書
【補正対象項目名】００５６
【補正方法】変更
【補正の内容】
【００５６】
図７は、展開形態のステント構造体２を示し、すなわち、開放環を形成するストラット７は平面表面に押し付けられて、示されている二次元表示をもたらす。ストラット７は様々な長さであることが分かる。このようにして、血管内に挿入された後、電極８は最終的に血管の内壁にオフセットされた又は千鳥状の様式で配置され、よってインパルスが様々なセクション／セグメントに作用することを可能にする。
最後に、本発明の好ましい実施態様を項分け記載する。
［実施態様１］
ヒト又は動物体の頭蓋内血管（６）への挿入用のステント構造体（２）を有するデバイスであって、前記ステント構造体（２）は、血管（６）の内壁と接触することができる拡張状態と、ステント構造体（２）がマイクロカテーテル（４）内部にあるときに血管（６）内を移動できる圧縮状態とをとり、前記ステント構造体（２）は挿入補助手段（３）に接続され、さらに前記ステント構造体（２）はマイクロカテーテル（４）から解放されると自動的にその拡張状態に移行することができ、
前記ステント構造体（２）は電気伝導体（１３）を有し、血管痙縮の予防又は治療を可能にするように神経線維の機能を一時的又は永久的に低減するために、血管（６）の血管壁中で延びる神経線維に前記電気伝導体を介して電気パルス、高周波パルス又は超音波パルスを印加することができる、デバイス。
［実施態様２］
前記ステント構造体（２）は、個々の相互連結したストラット（７）、又はメッシュ構造を形成する個々のワイヤからなる、実施態様１に記載のデバイス。
［実施態様３］
前記ステント構造体（２）は近位から遠位へと延在する背骨を備え、該背骨から、電気伝導体（１３）を有しかつ拡張状態でステント構造体（２）の周囲を形成するストラット（７）が延びる、実施態様２に記載のデバイス。
［実施態様４］
少なくとも一部のストラット（７）は、互いに平行に延びる複数の部分ストラットから構成される、実施態様２又は３に記載のデバイス。
［実施態様５］
前記電気伝導体（１３）は、ステント構造体（２）の近位端で合流し、かつ挿入補助手段（３）に接続される、実施態様１から４のいずれかに記載のデバイス。
［実施態様６］
前記電気伝導体（１３）は互いに電気的に絶縁されている、実施態様１から５のいずれかに記載のデバイス。
［実施態様７］
電気伝導体（１３）に接続された電気又は高周波（ＨＦ）電極（８）の対が、拡張状態にありかつ血管内に埋め込まれた電極（８）が間隙により離間されるような態様でステント構造体の周縁部に配置され、それによって間隙を横切る電極（８）への印加電流の流れが血管（６）の内壁に作用する、実施態様１から６のいずれかに記載のデバイス。
［実施態様８］
前記電極（８）は放射線不透過性マーカー（１２）を備える、実施態様７に記載のデバイス。
［実施態様９］
前記ステント構造体（２）は複数対の電極（８）を備える、実施態様７又は８に記載のデバイス。
［実施態様１０］
１対の電極（８）間の間隙は電気的絶縁材料で満たされている、実施態様７から９のいずれかに記載のデバイス。
［実施態様１１］
前記ステント構造体（２）は、デバイス（１）の長手方向に離間する複数の略環状の要素を含み、各要素は電気回路に属する２つの電気伝導体（１３）を含み、該２つの電気伝導体（１３）はそれぞれ１つの電極（８）において終端し、かつ２つの電極（８）は、デバイス（１）が拡張状態で血管（６）内に埋め込まれたときに間隙により互いに離れている、実施態様７から１０のいずれかに記載のデバイス。
［実施態様１２］
電極（８）、電極（８）の対、及び／又は超音波送信機は、ステント構造体（２）の長手方向に見て、周囲上に互いにオフセットして配置される、実施態様１から１１のいずれかに記載のデバイス。
［実施態様１３］
電気抵抗を測定する手段をさらに備える、実施態様１から１２のいずれかに記載のデバイス。
［実施態様１４］
前記ステント構造体（２）はその内側に膜（１１）を備える、実施態様１から１３のいずれか
［実施態様１５］
血管痙縮を予防又は治療する方法であって、実施態様１から１４のいずれかに記載のデバイスのステント構造体（２）が、挿入補助手段によって血管（６）内の標的位置に運ばれ、さらに拡張され、前記標的位置で電気パルス、高周波パルス又は超音波パルスが血管（６）の血管壁中で延びる神経線維に印加される、方法。